(57)【要約】【課題】多翼送風ファンの回転時における、ブレードと駆動プレートとの接続部におけるクラック等の発生を確実に防止し、耐久性、信頼性に優れた多翼送風ファンを提供する。【解決手段】回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、少なくとも前記ブレードの正圧面と駆動プレートの周縁とを接続する接続部に、ガセットを設けたことを特徴とする多翼送風ファン。【選択図】図６
2006037904.tif 000002
【特許請求の範囲】
【請求項１】
回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、少なくとも前記ブレードの正圧面と駆動プレートの周縁とを接続する接続部に、ガセットを設けたことを特徴とする多翼送風ファン。
【請求項２】
前記ガセットの多翼送風ファンの軸方向の内面が、多翼送風ファン成形用金型の金型分割面と面一に配置されている、請求項１の多翼送風ファン。
【請求項３】
回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、前記ブレードの正圧面と駆動プレートの周縁とを接続する接続部の側面を曲面に形成したことを特徴とする多翼送風ファン。
【請求項４】
回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、少なくとも前記ブレードの正圧面と駆動プレートの周縁とを接続する接続部に、ガセットを設けるとともに、該接続部の側面の少なくとも一部を曲面に形成したことを特徴とする多翼送風ファン。
【請求項５】
前記多翼送風ファンが一体成形品からなる、請求項１ないし４のいずれかに記載の多翼送風ファン。
【発明の詳細な説明】
【技術分野】
【０００１】
本発明は、多翼送風ファンに関し、とくに車両用空調装置等に好適な多翼送風ファンに関する。
【背景技術】
【０００２】
従来から、回転軸周りに多数のブレードが配置され、回転軸の軸方向から吸入された空気を、径方向に吐出するような多翼送風ファンとしては、図１１ないし１４に示すようなものが知られている（たとえば、特許文献１）。図において、１００は多翼送風ファン全体を示している。多翼送風ファン１００は、多数のブレード１０１を有する多翼ファン部１０２を有している。多数のブレード１０１は回転軸１０３の周りに複数配設されている。ブレード１０１の反空気吸込側端部には円板状の駆動プレート１０４が設けられており、全ブレード１０１に接続されている。駆動プレート１０４の中心部にはボス部１０５が形成されており、ボス部１０５内に回転軸１０３が装着され、回転軸１０３の回転駆動により、駆動プレート１０４および全ブレード１０１が図１１の矢印方向に回転されるようになっている。ブレード１０１の空気吸込側端部には、環状の接続リング１０６が設けられており、接続リング１０６は、全ブレード１０１を互いに接続し補強の役目を果たしている。
【０００３】
上記のような多翼送風ファン１００は、通常、射出成形等により一体成形品として成形されるようになっている。また、このような多翼送風ファン１００は図１２、図１４の矢印方向に摺動可能な上側金型と、下側金型とからなる金型により成形されるようになっており、上側金型と下側金型との金型分割面（以下、単にＰＬと言うこともある。）は、たとえば、図１２、図１４に示すように、ブレード１０１の空気吸入側端部に設けることができる。
【０００４】
しかし、上記のような多翼送風ファン１００においては、図１３および図１４に示すように、ブレード１０１の正圧面１０７と駆動プレート１０４の周縁１０９との接続部１０８が鋭角に形成されているので、上記のように多翼送風ファン１００が図１１の矢印方向に回転されると、図１３に示すような遠心力が作用し接続部１０８に応力が集中し、該接続部１０８にクラック等が発生するおそれがある。
【特許文献１】特許第３０２８１０８号公報
【発明の開示】
【発明が解決しようとする課題】
【０００５】
そこで本発明の課題は、ブレードと駆動プレートとの接続部のクラック等の発生を確実に防止し、耐久性に優れた多翼送風ファンを提供することにある。
【課題を解決するための手段】
【０００６】
上記課題を解決するために、本発明に係る多翼送風ファンは、回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、少なくとも前記ブレードの正圧面と駆動プレートの周縁とを接続する接続部に、ガセットを設けたことを特徴とするものからなる。このような構成においては、接続部にガセットが設けられ、該接続部が補強されているので、ファンの回転に伴い接続部に応力が集中してもクラック等の発生が確実に防止される。
【０００７】
上記ガセットは、該ガセットの多翼送風ファンの軸方向の内面が、多翼送風ファン成形用金型の分割面と面一になるように配置されることが好ましい。このように配置すれば、多翼送風ファン成形用金型にスライド機構等を付与することなくガセットを多翼送風ファンの成形時に同時に一体に成形できる。
【０００８】
また、上記課題を解決するために、もう一つの本発明に係る多翼送風ファンは、回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、前記ブレードの正圧面と駆動プレートとの周縁を接続する接続部の側面を内側に湾曲した曲面に形成したことを特徴とするものからなる。このような構成においては、ブレードの正圧面と駆動プレートの周縁とを接続する接続部の側面が内側に湾曲した曲面に形成されているので、該接続部にファンの回転に伴う応力は一点に集中されることなく分散される。したがって、応力の集中が防止されクラック等の発生が確実に防止される。
【０００９】
また、上記課題を解決するために、もう一つ別の本発明に係る多翼送風ファンは、回転軸周りに周方向に配設された複数のブレードと、該ブレードの反空気吸込側端部に設けられ全ブレードに接続された円板状の駆動プレートと、前記複数のブレードの空気吸込側端部を接続する環状の接続リングとを備え、各ブレード間における径方向内端側から空気を吸入し径方向外端側に空気を吐出する遠心多翼送風ファンにおいて、少なくとも前記ブレードの正圧面と駆動プレートの周縁とを接続する接続部に、ガセットを設けるとともに、該接続部の側面の少なくとも一部を曲面に形成したことを特徴とするものからなる。このような構成においては、接続部が補強されるとともに、該接続部にファンの回転に伴う応力は一点に集中されることなく分散されるので、一層確実にクラック等の発生が防止される。
【発明の効果】
【００１０】
上記のような多翼送風ファンによれば、接続部におけるクラック等の発生が確実に防止されるので、多翼送風ファンの耐久性を大幅に向上できる。
【発明を実施するための最良の形態】
【００１１】
以下に本発明の望ましい実施の形態を図面を参照して説明する。
図１ないし図６は本発明の第１実施態様に係る多翼送風ファンを示している。図１において、１は多翼送風ファン全体を示している。多翼送風ファン１は、多数のブレード２を有する多翼ファン部３を有している。多数のブレード２は回転軸４の周りに複数配設されている。ブレード２の反空気吸込側端部には円板状の駆動プレート５が設けられており、全ブレード２に接続されている。駆動プレート５の中心部にはボス部６が形成されており、ボス部６内に回転軸４が装着され、回転軸４の回転駆動により、駆動プレート５および全ブレード２が図１の矢印方向に回転されるようになっている。ブレード２の空気吸込側端部には、環状の接続リング７が設けられており、接続リング７は、全ブレード２を互いに接続し補強の役目を果たしている。
【００１２】
なお、図示は省略してあるが、多翼ファン部３の周囲には、多翼ファン部３を収納するケーシングが設けられ、ケーシングには空気吸込口と空気吐出口が形成される。ケーシングの形状は、スクロール形や円筒形に形成できる。
【００１３】
各ブレード２は、図４に示すように径方向内端８から駆動プレートの周縁９までのブレード前半部１０は、ブレード厚みは一旦増大した後減少する流線形の翼形状に形成されている。また、各ブレード２の駆動プレートの周縁９から径方向外端１１までのブレード後半部１２は、実質的に厚み一定のプレート形状に形成されている。
【００１４】
また、図５、図６に示すように、各ブレード２の正圧面１３と駆動プレートの周縁９との接続部１５にはガセット１６が設けられている。本実施態様においては、多翼送風ファン１は、たとえば、射出成形等により一体に成形されている。また、ガセット１６の多翼送風ファンの軸方向の内面１７は、多翼送風ファン成形用金型の分割面と面一になるように配置されている。したがって、多翼送風ファン成形用金型にスライド機構等を付与することなくガセット１６を多翼送風ファン１の成形時に同時に一体に成形できる。なお、上記のような多翼送風ファン１を成形する多翼送風ファン成形用金型は、たとえば図２、図３、図５の矢印方向に摺動可能な２つの可動型から構成できる。また、一方を固定型、他方を可動型から構成してもよい。
【００１５】
上記のような多翼送風ファン１においては、多翼送風ファン１が図１の矢印方向に回転されると、従来例の図１３に示すような遠心力が作用し接続部１５に応力が集中し、該接続部１５にクラック等が発生するおそれがある。
【００１６】
しかし、本実施態様においては、ブレード２の正圧面１３と駆動プレートの周縁９との接続部１５にガセット１６が設けられ、該接続部１５が補強されているので、ファンの回転に伴い接続部１５に応力が集中してもクラック等の発生が確実に防止される。
【００１７】
図７および図８は本発明の第２実施態様に係る多翼送風ファンを示している。本実施態様においては、ブレード２の正圧面１３と駆動プレートの周縁９とを接続する接続部１８の側面１９は、内側に湾曲した曲面に形成されている。
【００１８】
本実施態様においては、ブレード２の正圧面１３と駆動プレートの周縁９とを接続する接続部１８の側面１９は、内側に湾曲した曲面に形成されているので、多翼送風ファン１が図１の矢印方向に回転されても、接続部１８に応力が集中されることはなく分散される。したがって、応力の集中が防止されクラック等の発生が確実に防止される。
【００１９】
図９は本発明の第３実施態様に係る多翼送風ファンを示している。本実施態様においては、各ブレード２の正圧面１３と駆動プレートの周縁９との接続部２０にはガセット２１が設けられるとともに、接続部２０の側面２２は、内側に湾曲した曲面に形成されている。つまり、実施態様は、上記第１実施態様および第２実施態様を兼ね備えた構造に構成されている。したがって、本実施態様においても、上記第１実施態様および第２実施態様の作用に準じ、一層効果的にクラック等の発生が防止され、多翼送風ファンの耐久性を向上できる。
【００２０】
図１０は本発明の第４実施態様に係る多翼送風ファンを示している。本実施態様においては、各ブレード２の正圧面１３と駆動プレートの周縁９との接続部２０にはガセット２１が設けられるとともに、該ガセット２１の両側の接続部２０の側面２２は、内側に湾曲した曲面に形成されている。本実施態様においても、上記第１実施態様および第２実施態様の作用に準じ、一層効果的にクラック等の発生が防止され、多翼送風ファンの耐久性を向上できる。
【産業上の利用可能性】
【００２１】
本発明は、遠心式多翼送風ファン、とくに自動車用空調装置に送風機として使用される多翼送風ファンに好適に用いることができる。
【図面の簡単な説明】
【００２２】
【図１】本発明の第１実施態様に係る多翼送風ファンの正面図である。
【図２】図１の多翼送風ファンの半断面表示側面図である。
【図３】図２の多翼送風ファンのＡ部の拡大図である。
【図４】図３の多翼送風ファンのＩＶ−ＩＶ線に沿う断面図である。
【図５】図４のブレードのＢ部の拡大断面図である。
【図６】図１の多翼送風ファンのブレードと駆動プレートとの接続状態を示す斜視図である。
【図７】本発明の第２実施態様に係る多翼送風ファンのブレードと駆動プレートとの接続状態を示す斜視図である。
【図８】本発明の第２実施態様に係る多翼送風ファンのブレードと駆動プレートとの接続状態を示す拡大断面図である。
【図９】本発明の第３実施態様に係る多翼送風ファンのブレードと駆動プレートとの接続状態を示す斜視図である。
【図１０】本発明の第４実施態様に係る多翼送風ファンのブレードと駆動プレートとの接続状態を示す斜視図である。
【図１１】従来の多翼送風ファンの正面図である。
【図１２】図１１の多翼送風ファンの半断面表示側面図である。
【図１３】図１２の多翼送風ファンのＸＩＩ−ＸＩＩ線に沿う断面図である。
【図１４】図１１の多翼送風ファンのブレードと駆動プレートとの接続状態を示す斜視図である。
【符号の説明】
【００２３】
１  多翼送風ファン
２  ブレード
３  多翼ファン部
４  回転軸
５  駆動プレート
６  ボス部
７  接続リング
８  径方向内端
９  駆動プレートの周縁
１０  ブレード前半部
１１  径方向外端
１２  ブレード後半部
１３  正圧面
１４  負圧面
１５、１８、２０  接続部
１６、２１  ガセット
１７  内面
１９、２２  側面
【図１】
2006037904.tif 000003
【図２】
2006037904.tif 000004
【図３】
2006037904.tif 000005
【図４】
2006037904.tif 000006
【図５】
2006037904.tif 000007
【図６】
2006037904.tif 000008
【図７】
2006037904.tif 000009
【図８】
2006037904.tif 000010
【図９】
2006037904.tif 000011
【図１０】
2006037904.tif 000012
【図１１】
2006037904.tif 000013
【図１２】
2006037904.tif 000014
【図１３】
2006037904.tif 000015
【図１４】
2006037904.tif 000016